(57)【要約】【課題】見開き原稿の両方のページを読み取る場合（両範囲モード）と、片方のページのみを読み取る場合（片範囲モード）との切り替えを、容易に行える構造を実現する。【解決手段】方向取得部１８により原稿の配置方向を取得する。切替部２０は、原稿の配置方向が、例えばイメージセンサの副走査方向である場合に、原稿を副走査方向に分割して両方のページを読み取る両範囲モードに切り替える。一方、原稿の配置方向が、例えばイメージセンサの主走査方向である場合に、原稿を主走査方向に分割して片方のページを読み取る片範囲モードに切り替える。これにより、原稿の配置方向を変えるだけで、両範囲モードと片範囲モードとを切り替えられるため、この切り替えを容易に行うことができる。【選択図】図４
2011135343.tif 000002
【特許請求の範囲】
【請求項１】
原稿を読み取る読取手段を有し、原稿を所定方向に関し分割して読み取る分割読みモードを備えた画像読取装置において、
原稿の配置方向を取得する方向取得手段と、
前記方向取得手段により取得した原稿の配置方向が前記所定方向である場合には、前記分割読みモードで分割される原稿の範囲のうち、両方の範囲の読み取りを行う両範囲モードに、原稿の配置方向が前記所定方向と異なる場合には、片方の範囲の読み取りを行う片範囲モードに切り替える切替手段と、を備えた、
ことを特徴とする画像読取装置。
【請求項２】
前記方向取得手段により取得した原稿の配置方向に関する基準線の長さを記憶する基準線長さ記憶手段と、
第１の原稿読み取り時に、前記基準線長さ取得手段に記憶した基準線の長さと、第２の原稿読み取り時に、前記方向取得手段により取得した原稿の配置方向で前記基準線に対応する基準対応線の長さとを対比する対比手段と、を備え、
前記切替手段は、前記対比手段により対比した前記基準線の長さと前記基準対応線の長さとの関係に基づき、前記両範囲モードと前記片範囲モードとを切り替える、
ことを特徴とする、請求項１に記載の画像読取装置。
【請求項３】
前記両範囲モードと前記片範囲モードとを選択可能な範囲選択手段を備え、
前記基準線長さ記憶手段は、前記方向取得手段により取得した原稿の配置方向と、前記範囲選択手段により選択したモードとに基づき、原稿の配置方向に関する基準線の長さを記憶することを特徴とする、請求項２に記載の画像読取装置。
【請求項４】
前記分割読みモードは、原稿を前記読取手段の副走査方向に関し分割して読み取る副走査分割モードで、
前記第１の原稿読み取り時に、前記範囲選択手段により前記両方の範囲の読み取りを行うことを選択した場合に、前記基準線長さ記憶手段が、原稿の主走査方向の長さを基準線の長さとして記憶し、前記範囲選択手段により前記片方の範囲の読み取りを行うことを選択した場合に、前記基準線長さ記憶手段が、原稿の副走査方向の長さを基準線の長さとして記憶し、
前記切替手段は、前記第２の原稿読み取り時の、原稿の主走査方向の長さが前記基準線の長さと一致する場合には、原稿を副走査方向に分割して前記両方の範囲の読み取りを行う前記両範囲モードに、原稿の副走査方向の長さが前記基準線の長さと一致する場合には、原稿を主走査方向に分割して前記片方の範囲の読み取りを行う前記片範囲モードに切り替える、
ことを特徴とする請求項３に記載の画像読取装置。
【請求項５】
前記分割読みモードは、原稿を前記読取手段の主走査方向に関し分割して読み取る主走査分割モードで、
前記第１の原稿読み取り時に、前記範囲選択手段により前記両方の範囲の読み取りを行うことを選択した場合に、前記基準線長さ記憶手段が、原稿の副走査方向の長さを基準線の長さとして記憶し、前記範囲選択手段により前記片方の範囲の読み取りを行うことを選択した場合に、前記基準線長さ記憶手段が、原稿の主走査方向の長さを基準線の長さとして記憶し、
前記切替手段は、前記第２の原稿読み取り時の、原稿の副走査方向の長さが前記基準線の長さと一致する場合には、原稿を主走査方向に分割して前記両方の範囲の読み取りを行う前記両範囲モードに、原稿の主走査方向の長さが前記基準線の長さと一致する場合には、原稿を副走査方向に分割して前記片方の範囲の読み取りを行う前記片範囲モードに切り替える、
ことを特徴とする請求項３に記載の画像読取装置。
【請求項６】
前記分割読みモードは、原稿を前記読取手段の副走査方向に関し分割して読み取る副走査分割モードと、原稿を前記読み取り手段の主走査方向に関し分割して読み取る主走査分割モードと、を有し、
前記副走査分割モードと前記主走査分割モードとの何れかを選択可能な分割モード選択手段を備えた、
ことを特徴とする、請求項１ないし５のうちの何れか１項に記載の画像読取装置。
【請求項７】
前記両範囲モードと前記片範囲モードとのそれぞれに対応する、前記コンタクトガラス上への原稿の配置方向を表示する表示部を備えた、
ことを特徴とする、請求項１ないし６のうちの何れか１項に記載の画像読取装置。
【発明の詳細な説明】
【技術分野】
【０００１】
本発明は、スキャナ、ファクシミリ、複写機などに使用される、コンタクトガラス上に置かれた原稿の画像を読み取る画像読取装置に関し、特に、原稿を所定方向に関し分割して読み取る分割読みモードを備えた構造に関する。
【背景技術】
【０００２】
近年、画像読取装置として、例えば、ブック原稿や１枚の用紙に２ページ分の画像が存在する見開き原稿を、ページ毎に分割して読み取るページ連写機能を備えたものがある。このページ連写機能では、コンタクトガラス上に置かれた見開き原稿を片方のページずつ読み取りを行うが、片方のページが白紙ページであったり、ブック原稿の最初或は最後のページであるなど、この片方のページを読み取る必要がない場合がある。このような場合に、操作パネルにおいて片方ページのみ読み取りの指示又は解除の操作をすることで、希望する側のページのみの読み取りを行う技術が提案されている（特許文献１参照）。
【０００３】
なお、画像の読み取り時に、原稿の配置方向が変われば、読み取られる文字の向きが変わるが、このような場合、画像をデータとして記憶し、コンピュータの画面上に出力したり、印刷物として出力する場合に、文字の向きが変わって出力される。そこで、原稿上の文字の向きから原稿の方向を判断する技術が提案されている（特許文献２参照）。
【先行技術文献】
【特許文献】
【０００４】
【特許文献１】特開２０００−３１１２号公報
【特許文献２】特開２０００−３４８１４０号公報
【発明の概要】
【発明が解決しようとする課題】
【０００５】
上述の特許文献１に記載された技術の場合、見開き原稿の片方のページのみを読み取りたい場合に、その都度、操作パネルにおいて片方ページ読取の指示又は解除の操作をする必要があり、作業手順が煩雑となる。例えば、初回の原稿読み取りは片方のページのみで、次の原稿読み取りは両側のページで、更にその次の原稿読み取りは片方ページのみである場合、次のような作業が必要になる。
【０００６】
まず、初回のページを開いた状態で、見開き原稿をコンタクトガラス上に置き、操作パネルにより片方のページのみの読み取りを指示して画像の読み取りを行う。次に、次のページを開いた状態で、見開き原稿をコンタクトガラス上に置き、操作パネルにより両方のページの読み取りを指示して画像の読み取りを行う。更に、その次のページを開いた状態で、見開き原稿をコンタクトガラス上に置き、操作パネルにより片方のページのみの読み取りを指示して画像の読み取りを行う。このように、特許文献１に記載された技術の場合、原稿を読み取りたいページを開いた状態でコンタクトガラス上に置くと共に、操作パネルによりその都度操作を行う必要がある。したがって、片方のページのみを読み取る場合と、両方のページを読み取る場合との切り替えを行う作業が煩雑である。
【０００７】
本発明は、このような事情に鑑み、見開き原稿の両方のページを読み取る場合（両範囲モード）と、片方のページのみを読み取る場合（片範囲モード）との切り替えを、容易に行える構造を実現すべく発明したものである。
【課題を解決するための手段】
【０００８】
本発明は、原稿を読み取る読取手段を有し、原稿を所定方向に関し分割して読み取る分割読みモードを備えた画像読取装置において、原稿の配置方向を取得する方向取得手段と、前記方向取得手段により取得した原稿の配置方向が前記所定方向である場合には、前記分割読みモードで分割される範囲のうち、両方の範囲の読み取りを行う両範囲モードに、原稿の配置方向が前記所定方向と異なる場合には、片方の範囲の読み取りを行う片範囲モードに切り替える切替手段と、を備えた、ことを特徴とするものである。
【発明の効果】
【０００９】
本発明によれば、原稿の配置方向を変えるだけで、両範囲モードと片範囲モードとを切り替えられるため、この切り替えを容易に行うことができる。
【図面の簡単な説明】
【００１０】
【図１】本発明の実施形態に係る画像読取装置を備えた画像形成装置の１例を示す概略斜視図。
【図２】本実施形態に係る画像読取装置の概略平面図。
【図３】本実施形態に係る制御部の概略構成を示すブロック図。
【図４】本実施形態に係る分割制御部の概略構成を示すブロック図。
【図５】本実施形態に係る制御のフローチャート。
【図６】左右分割読みモード時で初回読み取り時の操作パネルの第１の画面を示す図。
【図７】左右分割読みモード時で初回読み取り時の操作パネルの第２の画面を示す図。
【図８】左右分割読みモード時で１ページ読み取り時の第１の原稿配置を示す図。
【図９】左右分割読みモード時で１ページ読み取り時の第２の原稿配置を示す図。
【図１０】左右分割読みモード時で１ページ読み取り時の第３の原稿配置を示す図。
【図１１】左右分割読みモード時で２ページ連写読み取り時の原稿配置を示す図。
【図１２】左右分割読みモード時で２ページ目以降の読み取り時の操作パネルの画面を示す図。
【図１３】上下分割読みモード時で初回読み取り時の操作パネルの第１の画面を示す図。
【図１４】上下分割読みモード時で初回読み取り時の操作パネルの第２の画面を示す図。
【図１５】上下分割読みモード時で１ページ読み取り時の第１の原稿配置を示す図。
【図１６】上下分割読みモード時で１ページ読み取り時の第２の原稿配置を示す図。
【図１７】上下分割読みモード時で１ページ読み取り時の第３の原稿配置を示す図。
【図１８】上下分割読みモード時で２ページ連写読み取り時の原稿配置を示す図。
【図１９】上下分割読みモード時で２ページ目以降の読み取り時の操作パネルの画面を示す図。
【発明を実施するための形態】
【００１１】
本発明の実施形態について、図１ないし図１９を用いて説明する。まず、図１により、本実施形態の画像読取装置１を備えた画像形成装置２について、簡単に説明する。図示の例の場合、画像形成装置２の上部に画像読取装置１を配置している。画像形成装置２は、画像読取装置１により読み取った画像データや画像形成装置２に通信可能に接続されたパーソナルコンピュータなどの端末装置から送られた画像データに基づいて画像形成を行う。具体的には、内部に備えたカセット内のシートや手差しで挿入するシート等に、上述の画像データに基づいて画像を形成し、シート上に画像を定着した状態で出力する。なお、画像読取装置１により読み取った画像データを端末装置に送信できるようにしても良い。また、画像の読み取りに関する指示などは、操作部３を操作することにより行う。
【００１２】
画像読取装置１は、図２に示すように、原稿が置かれるか、読み取る原稿を自動で搬送する自動搬送装置４（図１参照）によって原稿が送り込まれるコンタクトガラス５を備える。また、コンタクトガラス５内（原稿が置かれる側と反対側部分）には、原稿を読み取るイメージセンサ６と、イメージセンサ６を駆動する駆動装置７とを配置している。イメージセンサ６は、コンタクトガラス上に置かれた原稿を読み取るもので、光源である複数のＬＥＤ６ａを主走査方向Ａに沿って並べて配置している。そして、ＬＥＤ６ａから原稿に光を照射し、原稿から反射された光を複数のミラーや集光レンズを介して、ＣＣＤなどの光電変換素子により検知することにより、原稿の画像を読み取る。なお、光電変換素子は、検知した光を電気信号に変換するものである。また、イメージセンサ６は、このような構造に限定されず、従来から知られている各種構造を採用可能である。
【００１３】
また、駆動装置７は、イメージセンサ６を移動させるもので、モータ７ａと、ベルト７ｂと、ガイドレール７ｃとを備える。ガイドレール７ｃは、主走査方向Ａと直角な方向である副走査方向Ｂに沿って配置されている。イメージセンサ６は、このような駆動装置７のモータ７ａの駆動により、ベルト７ｂを介しガイドレール７ｃに沿って、往復移動可能としている。このため、イメージセンサ６は副走査方向Ｂに往復移動可能である。
【００１４】
また、画像読取装置１の制御部Ｃは、図３に示すように、ＣＰＵ１１、ＲＡＭ１２、ＲＯＭ１３、Ｉ／Ｆ１４、パネル操作部１５、不揮発性メモリ１６、読取部１７、方向取得部１８、分割制御部１９などを有する。このうちのＣＰＵ１１は、装置全体の動作を制御する。ＲＡＭ１２は、ＣＰＵ１１の作業領域及びデータの一時記憶領域である。ＲＯＭ１３は、画像読取装置１を駆動するためのファームウェアプログラムや、ファームウェアプログラムを制御するためのブートプログラムが書き込まれ、ＣＰＵ１１によって使用される。Ｉ／Ｆ（外部インターフェイス）１４は、外部の端末装置や画像形成装置２などと接続し、これを介して端末装置や画像形成装置２などに画像データが転送される。パネル操作部１５は、ユーザ（使用者）が画像読取装置１の各種設定を行ったり、その確認を行ったりする部分で、操作部３（図１参照）に接続される。不揮発性メモリ１６は、その各種設定を格納する。読取部１７は、コンタクトガラス上に置かれた原稿から画像を読み取る読み取り手段で、イメージセンサ６に接続される。システムバスＳＢは、ＣＰＵ１１と他の各要素とを接続する。
【００１５】
また、方向取得部１８は、コンタクトガラス５内の複数個所に配置されたセンサの信号に基づいて、コンタクトガラス上に置かれた原稿の配置方向を取得するものである。即ち、各センサの信号から原稿のサイズを検知し、この検知結果から原稿の配置方向を求める。また、分割制御部１９は、原稿を所定方向（イメージセンサ６の副走査方向Ｂ又は主走査方向Ａ、図１など参照）に関し分割して読み取る分割読みモードを制御する部分である。なお、以下の説明で、単に副走査方向又は主走査方向と言った場合、イメージセンサ６の副走査方向Ｂ又は主走査方向Ａであるとする。また、方向取得部１８は、イメージセンサ６の走査による、スキャン動作（プレスキャン動作）によって原稿の配置方向を検知し、配置方向の変化を検出してもよい。
【００１６】
このような分割制御部１９は、図４に示すように、切替手段である切替部２０、基準長さ記憶手段である基準長さ記憶部２１、対比手段である対比部２２を備える。このうちの切替部２０は、分割読みモードで分割される原稿の範囲のうち、両方の範囲の読み取りを行う両範囲モードと、片方の範囲の読み取りを行う片範囲モードとを切り替える。
【００１７】
なお、分割読みモードで分割される原稿の範囲とは、例えば、原稿が１ページで構成されている場合（例えばブック原稿の最初又は最後のページで原稿を開かないで置く場合、後述の図１０参照）には、この１ページがその範囲となる。したがって、この場合には、この１ページを分割せずに、言い換えれば、もう１ページ存在すると仮定して、片範囲モードでこの１ページを読み込む。一方、原稿が２ページで構成されている場合には、１ページ毎が分割読みモードで分割される原稿の範囲である。
【００１８】
本実施形態の場合、切替部２０は、方向取得部１８により取得した原稿の配置方向が所定方向（例えば副走査方向Ｂ）である場合に両範囲モードに、原稿の配置方向が所定方向と異なる（例えば主走査方向Ａの）場合に片範囲モードに、それぞれ切り替える。
【００１９】
なお、本実施形態で言う原稿の配置方向が副走査方向とは、ブック原稿や１枚の用紙に２ページ分の画像が存在する見開き原稿を副走査方向に配置していると言うことである。したがって、この場合には、見開き原稿の両ページは副走査方向に並べて配置される。一方、原稿の配置方向が主走査方向とは、見開き原稿を主走査方向に配置していると言うことであり、見開き原稿の両ページは主走査方向に並べて配置される。
【００２０】
本実施形態では、上述のように切替部２０による切り替えを行うために、基準長さ記憶部２１と対比部２２とを備える。このうちの基準長さ記憶部２１は、方向取得部１８により取得した原稿の配置方向に関する基準の長さを記憶する。例えば、方向取得部１８により取得した原稿の配置方向が副走査方向である場合、原稿の主走査方向の長さを基準長さとして記憶する。
【００２１】
また、対比部２２は、第１の原稿読み取り時に、基準線長さ記憶部２１に記憶した基準線の長さと、第２の原稿読み取り時に、方向取得部１８により取得した原稿の配置方向で基準線に対応する基準対応線の長さとを対比する。第１の原稿読み取り時とは、例えば、初回原稿の読み取り時など分割読みモードを設定して読み取りを開始する場合や、途中で分割読みモードの設定を変えてから読み取りを開始する場合である。第２の原稿読み取り時とは、例えば、第１の原稿読み取りの後に原稿の読み取りを行う場合である。
【００２２】
基準対応線とは、例えば、第１の原稿読み取り時の原稿の配置方向が副走査方向である場合に、基準線の長さを原稿の主走査方向の長さとした場合に、この原稿の主走査方向の長さに対応する線である。したがって、第２の原稿読み取り時の原稿の配置方向が第１の原稿読み取り時と同じ副走査方向である場合には、基準対応線の長さは、原稿の主走査方向の長さとなる。一方、第２の原稿読み取り時の原稿の配置方向が第１の原稿読み取り時と異なる主走査方向である場合には、基準対応線の長さは、原稿の副走査方向の長さとなる。このような基準線及び基準対応線は、上述のような場合に限らず、原稿の配置方向に関する基準となる線で、第１の原稿読み取り時と第２の原稿読み取り時とで対比できるものであれば良い。
【００２３】
切替部２０は、このように対比部２２により対比した基準線の長さと基準対応線の長さとの関係に基づき、両範囲モードと片範囲モードとを切り替える。例えば、第１の原稿読み取り時に原稿の主走査方向の長さを基準線の長さとした場合、第２の原稿読み取り時の原稿の基準対応線の長さが、第１の原稿読み取り時と同じ主走査方向の長さであれば、両範囲モードで原稿を読み込む。一方、第２の原稿読み取り時の原稿の基準対応線の長さが、第１の原稿読み取り時と異なる副走査方向の長さであれば、片範囲モードで原稿を読み込む。
【００２４】
また、本実施形態の場合、分割制御部１９は、パネル操作部１５と接続され、ユーザの操作部３による操作によっても駆動する。即ち、パネル操作部１５は、範囲選択手段である範囲選択部１５ａと、分割モード選択手段である分割モード選択部１５ｂとを有する。このうちの範囲選択部１５ａは、操作部３の操作に応じて両範囲モードと片範囲モードとを選択可能とするものである。例えば、第１の原稿読み取り時に、操作部３に応じて範囲選択部１５ａにより両範囲モードと片範囲モードとの何れかを選択した上で、原稿の読み込みを行う。
【００２５】
また、分割モード選択部１５ｂは、操作部３の操作に応じて原稿を副走査方向に関し分割して読み取る副走査分割モードと、原稿を主走査方向に関し分割して読み取る主走査分割モードとを選択可能とするものである。即ち、本実施形態の画像読取装置１は、原稿を副走査方向にも主走査方向にも分割して読み取ることができるが、ユーザの好みにより、何れかの分割モードを選択可能とし、選択した分割モードで両範囲モードとすることを可能としている。具体的には、副走査分割モードを選択し、原稿の配置方向を副走査方向とした場合には両範囲モードとなり、原稿の配置方向を主走査方向とした場合には片範囲モードとなる。一方、主走査分割モードを選択し、原稿の配置方向を主走査方向とした場合には両範囲モードとなり、原稿の配置方向を副走査方向とした場合には片範囲モードとなる。なお、以下の説明では、副走査分割モードは、左右分割読みモードとも言い、主走査分割モードは、上下分割読みモードとも言う。
【００２６】
また、本実施形態の場合、パネル操作部１５は、上述のように、範囲選択部１５ａや分割モード選択部１５ｂの選択を行うための操作を行う部分であるが、この操作を行ない易くするための表示部１５ｃも有する。この表示部１５ｃは、操作部３に設けた、例えば画面表示に対応した入力装置を備えたタッチパネルなどに接続され、画面上に、両範囲モードと片範囲モードとのそれぞれに対応する、コンタクトガラス上への原稿の配置方向を表示する。また、表示部１５ｃは、左右分割読みモードと上下分割読みモードとのそれぞれに対応する、コンタクトガラス上への原稿の配置方向も表示する。このような表示は、操作に応じて切り替わるようにしたり、選択した部分の色を変えたり濃度を変えたりして選択したことが分かり易くなるようにしても良い。
【００２７】
また、本実施形態の場合、原稿上の文字の向きを認識する文字認識部２３を備える（図３参照）。このような文字認識部２３は、例えば、前述の特許文献２に記載された技術が使用可能である。そして、文字認識部２３により文字の向きを認識して、原稿の方向を判断する。即ち、画像の読み取り時に、原稿の配置方向が変われば、読み取られる文字の向きが変わるが、このような場合、画像をデータとして記憶し、コンピュータの画面上に出力したり、印刷物として出力する場合に、文字の向きが変わって出力される。そこで、上述のように文字認識部２３を備えることにより、原稿の方向を判断でき、コンピュータの画面上に出力したり、印刷部物として出力する場合にも、原稿の方向を一致させることができる。
【００２８】
なお、原稿の配置方向を取得する方向取得手段１８を備えなくても、文字認識部２３により文字の向きを認識して、両範囲モードと片範囲モードを切り替えることも可能である。但し、写真のみのページなどの場合に文字の向きが認識できない場合も有り得るため、本発明では、基準線によって確実に原稿の配置方向を判断する方法を取っている。また、文字の向きが正しく認識できない場合に備えて、文字認識部２３により文字の向きを認識した後で、ユーザが画像の向きを容易に変更できるようにしても良い。
【００２９】
＜左右分割読みモード＞
次に、左右分割読みモードにおける本実施形態の制御の流れについて、図５ないし図１２により、上述の図１ないし図４を参照しつつ説明する。まず、画像の読み取りを行う場合に、パネル操作部１５において、操作部３の操作によりユーザによって指定された、初回時に読み取るページ数の取得を行う（Ｓ１）。即ち、見開き原稿の２ページ（両範囲モード）又は１ページ（片範囲モード）を選択する。この場合に表示部１５ｃにより表示する画面は、例えば、図６又は図７に示すようにする。なお、本実施形態の場合、見開き原稿２ページの場合も１ページの場合も、主走査方向と副走査方向との長さが異なる。
【００３０】
この際、原稿が１ページで構成されている場合（例えばブック原稿の最初又は最後のページで原稿を開かないで置く場合、後述の図１０参照）、もしくは見開き原稿の片方のページのみ読み取りたい場合（後述の図８又は図９参照）は、「１ページ」を選択する。なお、図８ないし図１０に示す場合全てが、片範囲モードに相当する。一方、見開き原稿の両方のページを読み取りたい場合（後述の図１１参照）は、「２ページ」を選択する。また、表示画面に、それぞれ図６又は図７に示すような原稿の配置方向を示す。
【００３１】
即ち、図６に示す場合、斜線で示すように「１ページ」を選択しているため、原稿の配置方向は主走査方向となる。また、この場合に原稿の「Ａ」のページを読み取りたい場合には「Ａ」のページを図６の上側に、原稿の「Ｂ」のページを読み取りたい場合には「Ｂ」のページを図６の上側に配置するように表示する。即ち、本実施形態の画像読取装置１は、「１ページ」の読み込みを行う場合には、コンタクトガラス５上の上側に配置するように設定されている。一方、図７に示す場合、斜線で示すように「２ページ」を選択しているため、原稿の配置方向は副走査方向となる。このように、読み取りを行いたいページ数に応じて、画面に原稿の配置方向を表示することで、ユーザに原稿の置き方を認識させることができる。
【００３２】
次に、上述の図６又は図７に示した原稿の配置方向に応じて、図８ないし図１０又は図１１に示すように、画像読取装置１のコンタクトガラス５上に原稿が置かれたら、方向取得部１８は、置かれた原稿の用紙サイズの検知を行う（Ｓ２）。用紙サイズの検知により原稿の配置方向が分かる。この読み取りにおいても、イメージセンサ６が配列されている方向を主走査方向Ａとし、イメージセンサ６が移動する方向を副走査方向Ｂとする。
【００３３】
この場合に、検知された用紙サイズ、用紙の向き、及びＳ１で指定されたページ数より、基準線となる原稿の中心線の長さを取得し、基準線長さ記憶部２１に記憶する。初回読み取りページ数が「１ページ」の場合は、図８、図９、図１０の何れかに示すように、原稿の副走査方向の長さを、原稿を２分割する中心線の長さとして取得する。一方、初回読み取りページ数が「２ページ」の場合は、図１１に示すように、原稿の主走査方向の長さを、原稿を２分割する中心線の長さとして取得する。
【００３４】
次に、原稿の読み取り範囲の決定を行う（Ｓ３）。まず、１枚目の原稿（第１の原稿読み取り時）では、初回読み取りページ数の設定に基づき読み取り範囲を決定する。初回読み取りページ数が「１ページ」の場合は、図８、図９、図１０の何れかに示すように、破線で囲まれた見開き原稿の１ページ分に該当する範囲を読み取り範囲として、イメージセンサ６により読み取りを行う（Ｓ４）。この際、例えば、図８と図９とでは文字の方向が異なるため、文字認識部２３により原稿上の文字の向きを認識して、原稿の方向を判断する（Ｓ５）。そして、予め設定された所望の方向に原稿の文字の方向が揃うように、画像をデータとして記憶する。なお、このＳ５は省略することもできる。
【００３５】
初回読み取りページ数が「２ページ」の場合は、図１１に示すように、破線で囲まれた見開き原稿２ページ分に該当する範囲を読み取り範囲として、イメージセンサ６により２ページ連写読み取りを行う（Ｓ６）。なお、２ページ連写読み取りの方法は、イメージセンサ６を走査させ、Ｂページ、Ａページの順に読み取るようにしても良いし、Ａページ、Ｂページの順で読み取るようにしても良い。
【００３６】
一方、２枚目以降の原稿（第２の原稿読み取り時）については、次のように読み取りを行う。まず、１枚目の原稿において、基準長さ記憶部２１に記憶した中心線の長さ（基準線の長さ）と、２枚目以降の原稿において、基準線に対応した基準対応線の長さを取得する。即ち、２枚目の原稿をコンタクトガラス５上に置いた状態で、方向取得部１８により原稿の方向を検知する（Ｓ２）。そして、図８ないし図１１に示した場合と同様に、基準対応線となる原稿の中心線長さを取得する。具体的には、原稿を図８ないし図１０に示すように置いた場合、副走査方向の原稿の中心線長さが基準線の長さと一致するため、この副走査方向の原稿の長さを基準対応線の長さとする。一方、原稿を図１１に示すように置いた場合、主走査方向の原稿の中心線長さが基準線の長さと一致するため、この主走査方向の原稿の長さを基準対応線の長さとする。
【００３７】
そして、対比部２２により基準線と基準対応線とを対比し、原稿の読み取り範囲を次のように決定する（Ｓ３）。まず、基準線と一致する基準対応線の長さが、原稿の副走査方向の長さである場合、図８、図９、図１０の何れかに示すように、破線で囲まれた見開き原稿の１ページ分に該当する範囲を読み取り範囲として、イメージセンサ６により読み取りを行う（Ｓ４）。この際、１枚目の原稿と同様に、文字認識部２３により原稿上の文字の向きを認識して、原稿の方向を判断しても良い（Ｓ５）。
【００３８】
基準線と一致する基準対応線の長さが、原稿の主走査方向の長さである場合、図１１に示すように、破線で囲まれた見開き原稿２ページ分に該当する範囲を読み取り範囲として、イメージセンサ６により２ページ連写読み取りを行う（Ｓ６）。なお、２ページ連写読み取りの方法は、イメージセンサ６を走査させ、Ｂページ、Ａページの順に読み取るようにしても良いし、Ａページ、Ｂページの順で読み取るようにしても良い。また、２枚目以降の原稿の読み取りを行う場合に、図１２に示すような画面を表示部１５ｃにより表示するようにしても良い。これにより、ユーザが読み取りを行いたいページに応じた原稿の置き方及び読み取り面（図１２の破線部分）が分かる。
【００３９】
上述のＳ５（又はＳ４）或はＳ６が終了したら、ユーザから分割読み終了の指示があるか否かの判定を行う（Ｓ７）。終了の指示がない場合はＳ２へ戻り、終了の指示があった場合は、このフローチャートを終了する。なお、この終了に指示は、例えば、分割読みモードをキャンセルするような指示であっても良いし、読み取り作業後、そのままのモードで放置され、所定時間経過後に装置が待機状態となった場合でも良い。
【００４０】
＜上下分割読みモード＞
次に、上下分割読みモードにおける本実施形態の制御の流れについて、図５、図１３ないし図１９により、前述の図１ないし図４を参照しつつ説明する。まず、画像の読み取りを行う場合に、パネル操作部１５において、操作部３の操作によりユーザによって指定された、初回時に読み取るページ数の取得を行う（Ｓ１）。即ち、見開き原稿の２ページ（両範囲モード）又は１ページ（片範囲モード）を選択する。この場合に表示部１５ｃにより表示する画面は、例えば、図１３又は図１４に示すようにする。なお、本実施形態の場合、見開き原稿２ページの場合も１ページの場合も、主走査方向と副走査方向との長さが異なる。
【００４１】
この際、原稿が１ページで構成されている場合（例えばブック原稿の最初又は最後のページで原稿を開かないで置く場合、後述の図１７参照）、又は見開き原稿の片方のページのみ読み取りたい場合（後述の図１５又は図１６参照）は、「１ページ」を選択する。一方、見開き原稿の両方のページを読み取りたい場合（後述の図１８参照）は、「２ページ」を選択する。また、表示画面に、それぞれ図１３又は図１４に示すような原稿の配置方向を示す。
【００４２】
即ち、図１３に示す場合、斜線で示すように「１ページ」を選択しているため、原稿の配置方向は副走査方向となる。また、この場合に原稿の「Ｂ」のページを読み取りたい場合には「Ｂ」のページを図１３の左側に、原稿の「Ａ」のページを読み取りたい場合には「Ａ」のページを図１３の左側に配置するように表示する。即ち、本実施形態の画像読取装置１は、「１ページ」の読み込みを行う場合には、コンタクトガラス５上の左側に配置するように設定されている。一方、図１４に示す場合、斜線で示すように「２ページ」を選択しているため、原稿の配置方向は主走査方向となる。このように、読み取りを行いたいページ数に応じて、画面に原稿の配置方向を表示することで、ユーザに原稿の置き方を認識させることができる。
【００４３】
次に、上述の図１３又は図１４に示した原稿の配置方向に応じて、図１５ないし図１７又は図１８に示すように、画像読取装置１のコンタクトガラス５上に原稿が置かれたら、方向取得部１８は、置かれた原稿の用紙サイズの検知を行う（Ｓ２）。用紙サイズの検知により原稿の配置方向が分かる。この読み取りにおいても、イメージセンサ６が配列されている方向を主走査方向Ａとし、イメージセンサ６が移動する方向を副走査方向Ｂとする。
【００４４】
この場合に、検知された用紙サイズ、用紙の向き、及びＳ１で指定されたページ数より、基準線となる原稿の中心線の長さを取得し、基準線長さ記憶部２１に記憶する。初回読み取りページ数が「１ページ」の場合は、図１５、図１６、図１７の何れかに示すように、原稿の主走査方向の長さを、原稿を２分割する中心線の長さとして取得する。一方、初回読み取りページ数が「２ページ」の場合は、図１８に示すように、原稿の副走査方向の長さを、原稿を２分割する中心線の長さとして取得する。
【００４５】
次に、原稿の読み取り範囲の決定を行う（Ｓ３）。まず、１枚目の原稿（第１の原稿読み取り時）では、初回読み取りページ数の設定に基づき読み取り範囲を決定する。初回読み取りページ数が「１ページ」の場合は、図１５、図１６、図１７の何れかに示すように、破線で囲まれた見開き原稿の１ページ分に該当する範囲を読み取り範囲として、イメージセンサ６により読み取りを行う（Ｓ４）。この際、例えば、図１５と図１６とでは文字の方向が異なるため、文字認識部２３により原稿上の文字の向きを認識して、原稿の方向を判断する（Ｓ５）。そして、予め設定された所望の方向に原稿の文字の方向が揃うように、画像をデータとして記憶する。なお、このＳ５は省略することもできる。初回読み取りページ数が「２ページ」の場合は、図１８に示すように、破線で囲まれた見開き原稿２ページ分に該当する範囲を読み取り範囲として、イメージセンサ６により２ページ連写読み取りを行う（Ｓ６）。
【００４６】
一方、２枚目以降の原稿（第２の原稿読み取り時）については、次のように読み取りを行う。まず、１枚目の原稿において、基準長さ記憶部２１に記憶した中心線の長さ（基準線の長さ）と、２枚目以降の原稿において、基準線に対応した基準対応線の長さを取得する。即ち、２枚目の原稿をコンタクトガラス５上に置いた状態で、方向取得部１８により原稿の方向を検知する（Ｓ２）。そして、図１５ないし図１８に示した場合と同様に、基準対応線となる原稿の中心線長さを取得する。具体的には、原稿を図１５ないし図１７に示すように置いた場合、主走査方向の原稿の中心線長さが基準線の長さと一致するため、この主走査方向の原稿の長さを基準対応線の長さとする。一方、原稿を図１８に示すように置いた場合、副走査方向の原稿の中心線長さが基準線の長さと一致するため、この副走査方向の原稿の長さを基準対応線の長さとする。
【００４７】
そして、対比部２２により基準線と基準対応線とを対比し、原稿の読み取り範囲を次のように決定する（Ｓ３）。まず、基準線と一致する基準対応線の長さが、原稿の主走査方向の長さである場合、図１５、図１６、図１７の何れかに示すように、破線で囲まれた見開き原稿の１ページ分に該当する範囲を読み取り範囲として、イメージセンサ６により読み取りを行う（Ｓ４）。この際、１枚目の原稿と同様に、文字認識部２３により原稿上の文字の向きを認識して、原稿の方向を判断しても良い（Ｓ５）。
【００４８】
基準線と一致する基準対応線の長さが、原稿の副走査方向の長さである場合、図１８に示すように、破線で囲まれた見開き原稿２ページ分に該当する範囲を読み取り範囲として、イメージセンサ６により２ページ連写読み取りを行う（Ｓ６）。なお、２枚目以降の原稿の読み取りを行う場合に、図１９に示すような画面を表示部１５ｃにより表示するようにしても良い。これにより、ユーザが読み取りを行いたいページに応じた原稿の置き方及び読み取り面（図１９の破線部分）が分かる。
【００４９】
上述のＳ５（又はＳ４）或はＳ６が終了したら、ユーザから分割読み終了の指示があるか否かの判定を行う（Ｓ７）。終了の指示がない場合はＳ２へ戻り、終了の指示があった場合は、このフローチャートを終了する。なお、この終了に指示は、例えば、分割読みモードをキャンセルするような指示であっても良いし、読み取り作業後、そのままのモードで放置され、所定時間経過後に装置が待機状態となった場合でも良い。
【００５０】
本発明によれば、コンタクトガラス５上に置く原稿の配置方向を変えるだけで、両範囲モードと片範囲モードとを切り替えられるため、この切り替えを容易に行うことができる。即ち、左右分割読みモードで、見開き原稿の片方のページの読み込みを行う場合には、原稿を主走査方向に配置し、見開き原稿の両方のページの読み込みを行う場合には、原稿を副走査方向に配置すれば良い。一方、上下分割読みモードで、見開き原稿の片方のページの読み込みを行う場合には、原稿を副走査方向に配置し、見開き原稿の両方のページの読み込みを行う場合には、原稿を主走査方向に配置すれば良い。
【００５１】
このように、左右分割読みモードと上下分割読みモードとの何れの場合も、読み取りを行いたいページに応じて、原稿の配置方向を変えるだけで良いため、切り替えの度に操作部を操作する必要がなく、作業が容易になる。また、原稿の配置方向を変えて、片方のページ又は両方のページの読み込みの切り替えを行えるため、この切り替え作業を直感的に行ない易い。したがって、操作に不慣れなユーザにも容易に扱える。
【００５２】
なお、上述の実施形態では、初回原稿読み取り時に、ページ数の設定を行っているが、予め原稿の大きさ及び読み取り範囲を設定することにより、原稿の置き方を変えるだけで所望のページの読み込みを行えるようにしても良い。例えば、予め、見開き原稿の大きさがＡ４サイズで、読み取り範囲がＡ５サイズであると設定すれば、左右分割読みモードで見開き原稿を主走査方向に配置した場合に２ページの読み込みを行い、副走査方向に配置した場合に１ページの読み込みを行う。これにより、初回時に読み取るページ数の設定が必要なくなる。
【００５３】
また、上述の実施形態では、画像読取装置を備えた画像形成装置について説明したが、本発明は、このような構成に限らず、スキャナやファクシミリなどの画像読取装置にも、勿論適用可能である。
【符号の説明】
【００５４】
１・・・画像読取装置、３・・・操作部、５・・・コンタクトガラス、６・・・イメージセンサ、１５・・・パネル操作部、１５ａ・・・範囲選択部（範囲選択手段）、１５ｂ・・・分割モード選択部（分割モード選択手段）、１５ｃ・・・表示部、１７・・・読取部（読取手段）、１８・・・方向取得部（方向取得手段）、１９・・・分割制御部、２０・・・切替部（切替手段）、２１・・・基準長さ記憶部（基準長さ記憶手段）、２２・・・対比部（対比手段）、２３・・・文字認識部
【図１】
2011135343.tif 000003
【図２】
2011135343.tif 000004
【図３】
2011135343.tif 000005
【図４】
2011135343.tif 000006
【図５】
2011135343.tif 000007
【図６】
2011135343.tif 000008
【図７】
2011135343.tif 000009
【図８】
2011135343.tif 000010
【図９】
2011135343.tif 000011
【図１０】
2011135343.tif 000012
【図１１】
2011135343.tif 000013
【図１２】
2011135343.tif 000014
【図１３】
2011135343.tif 000015
【図１４】
2011135343.tif 000016
【図１５】
2011135343.tif 000017
【図１６】
2011135343.tif 000018
【図１７】
2011135343.tif 000019
【図１８】
2011135343.tif 000020
【図１９】
2011135343.tif 000021